(57)【要約】【課題】  イヤホン装置において、駆動音の増大を維持し、更なる高品質化を可能にする。【解決手段】  第１のスピーカ部Ａは、第１のヨーク３１、第１のヨーク３１に支持された第１の振動膜３３、第１のヨーク３１内に支持され印加された音声信号によって第１の振動膜３３を駆動させる第１の駆動部３５を有する。第２のスピーカ部Ｂは、第２のヨーク４９、第２のヨーク４９に支持された第２の振動膜５１、第２のヨーク４９内に支持され印加される上記音声信号によって第２の振動膜５１を駆動させる第２の駆動部５３を有する。第１のスピーカ部Ａと第２のスピーカ部Ｂは、第１及び第２の振動膜３３、５３間を気密状態にして対面させて一体化される。第１及び第２の振動膜３３、５３が同方向に変位振動するよう駆動される。【選択図】  図２
2014061092.tif 000002
【特許請求の範囲】
【請求項１】
第１のヨークと、この第１のヨークに支持された第１の振動膜と、前記第１のヨーク内に支持され印加される音声信号によって前記第１の振動膜を駆動させる第１の駆動部と、を有する第１のスピーカ部と、
第２のヨークと、この第２のヨークに支持された第２の振動膜と、前記第２のヨーク内に支持され印加される前記音声信号によって前記第２の振動膜を駆動させる第２の駆動部と、を有する第２のスピーカ部と、
を具備し、
前記第１および第２の振動膜が間隔を置くとともにその間を気密状態にして対面するよう前記第１および第２のスピーカ部が配置されて一体化され、前記第１および第２の振動膜が同方向に変位振動するよう駆動され、前記第１および第２の振動膜の振動によって発音された音を外部に向け音通する音通孔が、前記第１のスピーカ部又は第２のスピーカ部に形成されてなることを特徴とするイヤホン装置。
【請求項２】
第１および第２のスピーカ部が各々同形状に形成されてなる請求項１記載のイヤホン装置。
【請求項３】
前記第１および第２のスピーカ部は互いに共軸状に配置されてなる請求項１又は２記載のイヤホン装置。
【請求項４】
前記第１および第２のヨークの開放先端が僅かな間隔を置いて環状の連結部材によって連結され、前記第１および第２の振動膜の間が気密されてなる請求項１〜３いずれか１記載のイヤホン装置。
【請求項５】
前記第１および第２の駆動部は、互いに逆位相の同じ前記音声信号によって前記第１および第２の振動膜を駆動させる請求項１〜４いずれか１記載のイヤホン装置。
【請求項６】
前記第１のスピーカ部は、前記第１のヨークが磁性体性のカップ状に形成され、前記第１のヨーク内に第１のマグネットを固定し、前記第１のヨークの開放端面と前記第１のマグネットとの間で間隔を置いて前記第１の振動膜を前記第１のヨークに固定してこの開口部を覆い、前記第１の振動膜に固定した円筒状の第１のコイルを前記第１のマグネットの外周に僅かな間隔を置いて挿入配置してなり、
前記第２のスピーカ部は、前記第２のヨークが磁性体性のカップ状に形成され、前記第２のヨーク内に第２のマグネットを固定し、前記第２のヨークの開放端面と前記第２のマグネットとの間で間隔を置いて前記第２の振動膜を前記第２のヨークに固定してこの開口部を覆い、前記第２の振動膜に固定した円筒状の第２のコイルを前記第２のマグネットの外周に僅かな間隔を置いて挿入配置してなる請求項１〜５いずれか１記載のイヤホン装置。
【請求項７】
前記第１のスピーカ部の第１のマグネットと前記第２のスピーカ部の第２のマグネットとは、互いに同極性で対面されてなる請求項６記載のイヤホン装置。
【請求項８】
前記第１および第２の振動膜の少なくとも一方に小孔が形成されてなる請求項１〜７のいずれか１記載ののイヤホン装置。
【発明の詳細な説明】
【技術分野】
【０００１】
本発明はイヤホン装置に係り、特に、使用者の耳に装着するイヤホンやヘッドホン、更に大型のスピーカとして使用可能なイヤホン装置の改良に関する。
【背景技術】
【０００２】
従来、使用者の耳に装着するイヤホン装置としては、例えば図５に示すように、ケース本体１内に配置したカップ状ヨーク３内に円柱状マグネット５の一方の端面を固定し、マグネット５の他方の端面との間で間隔を置いて対面するように薄い振動膜７をヨーク３の先端に固定してヨーク３の開口部を覆い、振動膜７に固定した円筒状コイル９をマグネット３の外周に僅かな間隔を置いて挿入配置した構成が良く知られている。【０００３】
図５において、ケース本体１はロート状の基部１ａとこの先端（図中右側）を覆う前面カバー１ｂからなり、ヨーク３の開口部先端が前面カバー１ｂ内に固定されている。【０００４】
図５中の符号１１は振動膜７の前面にあって前面カバー１ｂに貫通形成された複数の音通孔、符号１３は外部へ導出されるケーブルであって基部１ａ内で結び目１３ａが形成されている。【０００５】
このイヤホン装置では、振動膜７を振動させる駆動部１５をマグネット５およびコイル９によって形成し、外部からケーブル１３でコイル９に音声信号を印加することによって振動膜７を振動させて発音させ、発音された音が振動膜７の前面の音通孔１１から外部へ伝搬される。【０００６】
そして、この種のイヤホン装置は、例えば外耳道挿入型の構成にして実際に製品化される。【０００７】
外耳道挿入型イヤホン装置としては、例えば図６に示すように、図５の構成を若干変更した構成を有し、使用者の耳珠１７、対珠１９、耳甲介２１で囲まれた耳甲介腔２３に、振動膜７を耳甲介２１に近接させるようにしてケース本体１を挿入するとともに、耳甲介腔２３から鼓膜（図示せず）へ延びる外耳道２５に、ケース本体１から突設させた音通筒体２７を挿入して使用する構成を有している。【０００８】
実際の製品としては、振動膜７の中心軸に音通筒体２７の中心軸を揃えた同軸型（図６参照）と、振動膜７の中心軸に音通筒体２７の中心軸を斜めに設定した非同軸型（図７参照）とがある。図６および図７ではイヤホン装置を左耳に装着した状態を示している。【０００９】
なお、図６および図７中の符号２９は音通筒体２７外周に嵌めた可撓性のイヤーチップ（イヤパット、イヤピース）であって外耳道２５内壁に弾性的に当接される。【００１０】
ところで、イヤホンの公知例としては特開２０１０−２８３６４３号公報（特許文献１）がある。
【先行技術文献】
【特許文献】
【００１１】
【特許文献１】特開２０１０−２８３６４３号公報
【発明の開示】
【発明が解決しようとする課題】
【００１２】
しかしながら、上述した何れのイヤホン装置も、ケース本体１内に配置したヨーク３、マグネット５、振動膜７およびコイル９を一組とした構成であるが、この構成では、駆動音の更なる高品質化のユーザ要望に応えるには構成上から限界があると考えられている。【００１３】
そこで、本発明者は、更なる高品質化を追求して種々の構成を鋭意検討した結果、複数のスピーカを組み合わせることにより、駆動音の高品質化が可能である点を見いだし、本発明を完成させた。【００１４】
本発明はそのような課題を解決するためになされたもので、駆動音の高品質化が可能なイヤホン装置の提供を目的とする。
【課題を解決するための手段】
【００１５】
そのような課題を解決するために本発明のイヤホン装置は、第１のヨークと、この第１のヨークに支持された第１の振動膜と、その第１のヨーク内に支持され印加される音声信号によってその第１の振動膜を駆動させる第１の駆動部とを有する第１のスピーカ部と、第２のヨークと、この第２のヨークに支持された第２の振動膜と、その第２のヨーク内に支持され印加される上記音声信号によってその第２の振動膜を駆動させる第２の駆動部とを有する第２のスピーカ部と、を具備している。【００１６】
しかも、それら第１および第２の振動膜が間隔を置くとともにその間を気密状態にして対面するよう上記第１および第２のスピーカ部が配置されて一体化され、それら第１および第２の振動膜が同方向に変位振動するよう駆動され、それら第１および第２の振動膜の振動によって発音された音を外部に向け音通する音通孔が、それら第１のスピーカ部又は第２のスピーカ部に形成されている。【００１７】
本発明のイヤホン装置は、上記第１および第２のスピーカ部が各々同形状に形成されてなる構成も可能である。【００１８】
本発明のイヤホン装置は、上記第１および第２のスピーカ部は互いに共軸状に配置されてなる構成も可能である。【００１９】
本発明のイヤホン装置は、上記第１および第２のヨークの開放先端が僅かな間隔を置いて環状の連結部材によって連結され、それら第１および第２の振動膜の間が気密されてなる構成も可能である。【００２０】
本発明のイヤホン装置は、上記第１および第２の駆動部が、互いに逆位相の同じ音声信号によってそれら第１および第２の振動膜を駆動させる構成も可能である。【００２１】
本発明のイヤホン装置は、上記第１のスピーカ部において、その第１のヨークが磁性体性材料からカップ状に形成され、その第１のヨーク内に第１のマグネットを固定し、それら第１のヨークの開放端面と第１のマグネットとの間で間隔を置いて第１の振動膜を第１のヨークに固定してこの開口部を覆い、その第１の振動膜に固定した円筒状の第１のコイルを第１のマグネットの外周に僅かな間隔を置いて挿入配置してなる。【００２２】
上記第２のスピーカ部において、その第２のヨークが磁性体性材料からカップ状に形成され、その第２のヨーク内に第２のマグネットを固定し、それら第２のヨークの開放端面と第２のマグネットとの間で間隔を置いてその第２の振動膜を第２のヨークに固定してこの開口部を覆い、その第２の振動膜に固定した円筒状の第２のコイルを第２のマグネットの外周に僅かな間隔を置いて挿入配置してなる構成も可能である。【００２３】
本発明のイヤホン装置は、上記第１のスピーカ部の第１のマグネットと上記第２のスピーカ部の第２のマグネットとが互いに同極性で対面される構成が好ましい。【００２４】
本発明のイヤホン装置は、上記第１および第２の振動膜の少なくとも一方に小孔が形成されてなる構成も可能である。
【発明の効果】
【００２５】
このような本発明のイヤホン装置では、第１および第２の振動膜の間を気密状態で対面して上記第１および第２のスピーカ部を配置するとともに、それら第１および第２の振動膜が同方向に変位振動するよう駆動させる構成としたから、歪みが少なく高品質の駆動音を得ることが可能である。【００２６】
そして、本発明のイヤホン装置では、上記第１および第２のスピーカ部を各々同形状に形成すれば、双方の特性が揃うことによって更なる駆動音の高品質化が可能である。【００２７】
また、本発明のイヤホン装置では、上記第１および第２のスピーカ部を互いに共軸状に配置することにより、双方の特性が揃い、一層の駆動音の高品質化が可能である。【００２８】
さらに、本発明のイヤホン装置では、上記第１および第２のスピーカ部の開放先端が僅かな間隔を置いて環状の連結部材によって連結される構成では、共通したスピーカ部を第１および第２のスピーカ部に用いることが可能となり、コストを高騰させ難く、組み立ても簡素化される。【００２９】
さらにまた、本発明のイヤホン装置では、上記第１および第２のスピーカ部の第１および第２の駆動部への音声信号の接続具合のみにより、それら第１の振動膜および第２の振動膜が同方向に変位振動するから、構成が簡素化される。【００３０】
本発明のイヤホン装置では、上記第１および第２の振動膜の少なくとも一方に小孔が形成されると、周波数特性に大きな影響を与えない範囲で、それら第１および第２のスピーカ部の周波数特性の微調整が可能である。
【図面の簡単な説明】
【００３１】
【図１】本発明に係るイヤホン装置の実施の形態を示す縦断面図である。
【図２】図１のイヤホン装置に係る要部を示す概略断面図である。
【図３】図１のイヤホン装置の動作を説明する波形図である。
【図４】図１のイヤホン装置の動作を説明する概略図である。
【図５】従来のイヤホン装置を示す断面図である。
【図６】従来のイヤホン装置を使用例とともに示す断面図である。
【図７】従来のイヤホン装置を使用例とともに示す断面図である。
【発明を実施するための最良の形態】
【００３２】
以下、本発明に係るイヤホン装置の実施の形態を図面を参照して説明する。【００３３】
図１は本発明に係るイヤホン装置の実施の一形態を示す縦断面図である。【００３４】
図１において、本発明に係るイヤホン装置は、第１のスピーカ部Ａとこれとほぼ同一形状の第２のスピーカ部Ｂを互いに対面するよう共軸的に配置し、一体化して構成されている。【００３５】
第１のスピーカ部Ａは、図２に示すように、第１のヨーク３１と、この第１のヨーク３１に支持された第１の振動膜３３と、その第１のヨーク３１内に支持され印加された音声信号によってその第１の振動膜３３を駆動させる第１の駆動部３５とを有している。【００３６】
第１のヨーク３１は磁性体材料からカップ状に成形されており、この第１のヨーク３１の内底部には、円筒状の第１のマグネット３７の一端面が重ねられるとともに他方の端面には磁性体性材料からリング状に形成された第１の抑え板３９が重ねられ、第１のヨーク３１の外底部には第１の回路基板４１が重ねられている。【００３７】
第１のヨーク３１の内底部、第１のマグネット３７、第１の抑え板３９および第１の回路基板４１の各中央部には第１の支持筒４３が貫通され、第１の支持筒４３の両先端が拡開するようにかしめ加工され、それら第１のマグネット３７および第１の抑え板３９が第１のヨーク３１内に、第１の回路基板４１が第１のヨーク３１の外底部に固定されている。【００３８】
なお、第１のマグネット３７は、第１のヨーク３１の開放端側が例えばＮ極に着磁されており、第１の抑え板３９はＮ極になる。【００３９】
第１のマグネット３７の他方の端面側すなわち第１のヨーク３１の開放端側において、第１のマグネット３７と間隔を置いて対面するように、薄い第１の振動膜３３が第１のヨーク３１の先端に固定され、これによって第１のヨーク３１の開口部が覆われている。【００４０】
第１の振動膜３３には円筒状の第１のコイル４５の一方の端面側が固定されており、第１のコイル４５が第１のマグネット３７の外周に僅かな間隔を置いて挿入配置され、上述した第１の駆動部３５が形成されている。【００４１】
第１の回路基板４１は、外部から音声信号を供給するケーブル４７が接続されるものであり、第１のヨーク３１および第１の振動膜３３に配置された図示しないリード線によって音声信号が第１のコイル４５に供給されるようになっている。【００４２】
第２のスピーカ部Ｂは、第２のヨーク４９と、この第２のヨーク４９に支持された第２の振動膜５１と、その第２のヨーク４９内に支持され印加された音声信号によってその第２の振動膜５１を駆動させる第２の駆動部５３とを有している。【００４３】
第２のヨーク４９は磁性体材料からカップ状に成形されており、この第２のヨーク４９の内底部には、円筒状の第２のマグネット５５の一端面が重ねられるとともに他方の端面に磁性体性材料からリング状に形成された第２の抑え板５７が重ねられ、第２のヨーク４９の外底部には第２の回路基板５９が重ねられている。【００４４】
第２のヨーク４９の内底部、第２のマグネット５５、第２の抑え板５７および第２の回路基板５９の各中央部には第２の支持筒６１が貫通され、第２の支持筒６１の両先端が拡開するようにかしめ加工され、それら第２のマグネット５５および第２の抑え板５７が第２のヨーク４９内に、第２の回路基板５９が第２のヨーク４９の外底部に固定されている。【００４５】
なお、第２のマグネット５５は、第２のヨーク４９の開放端側が第１のマグネット３７の先端側と同極性例えばＮ極に着磁されており、第２の抑え板５７はＮ極になる。【００４６】
第２のマグネット５５の他方の端面側すなわち第２のヨーク４９の開放端側において、それと間隔を置いて対面するように、薄い第２の振動膜５１が第２のヨーク４９の先端に固定され、第２のヨーク４９の開口部が覆われている。【００４７】
第２の振動膜５１には円筒状の第２のコイル６３の一方の端面側が固定されており、第２のコイル６３が第２のマグネット５５の外周に僅かな間隔を置いて挿入配置され、上述した第２の駆動部５３が形成されている。【００４８】
第２の回路基板５９は、第１の回路基板４１から音声信号を供給するケーブル６５が接続されるものであり（図１参照）、第２のヨーク４９および第２の振動膜５１に配置された図示しないリード線によって音声信号が第２のコイル６３に供給されるようになっている。【００４９】
第２のコイル６３は、第１のコイル４３とは逆位相の音声信号が印加されるように接続されている。【００５０】
第１および第２のスピーカ部Ａ、Ｂは、第１および第２の振動膜３３、５１を僅かな間隔を置いて対面するように扁平かつ環状の連結部材６７によって支持固定されて一体化されるとともに、第１および第２の振動膜３３、５１間が気密（密封）されている。【００５１】
図１に戻って、第１のスピーカ部Ａは、第１のヨーク３１、第１の回路基板４１、ケーブル４７を覆うようにしてカップ状の合成樹脂性ハウジング６９が被せられて連結部材６７に嵌るように固定されている。ケーブル４７はハウジング６９から導出されている。【００５２】
第２のスピーカ部Ｂには、第２のヨーク４９、第２の回路基板５９およびケーブル６５を覆うようにして環状で扁平な合成樹脂性カバー７１が被せられ、連結部材６７を間に置くようにしてカバー７１が連結部材６７に固定されている。【００５３】
これらハウジング６９、連結部材６７およびカバー７１は接着剤（図示せず）等によって固着されて一体化されており、連結部材６７に支持された第１および第２のスピーカ部Ａ、Ｂが、ハウジング６９およびカバー７１に包まれて保護されている。【００５４】
カバー７１には、第２のスピーカ部Ｂの中心軸に対して斜め方向に突出する合成樹脂性の音通筒体７３が固定されており、それら第１および第２の振動膜３３、５１の振動によって発音された音が音通筒体７３から外部へ伝搬されるようになっている。【００５５】
第２のスピーカ部Ｂの底部には、発音された駆動音を音通筒体７３へ音通する音通孔７５が形成されている。【００５６】
音通筒体７３の先端側外周には、可撓性合成樹脂からなるイヤーチップ７７が着脱可能に嵌められている。【００５７】
なお、図１中の符号７９は、第１および第２の振動膜３３、５１の円滑な振動変位を確保するために第１のスピーカ部Ａに形成された極小さい通気孔である。【００５８】
このようなイヤホン装置では、ケーブル４７を介して第１および第２のスピーカ部Ａ、Ｂの第１および第２のコイル４５、６３へ音声信号を印加することにより、第１および第２の駆動部３５、５３が第１および第２の振動膜３３、５１を振動させて発音し、第２のスピーカ部Ｂの音通孔７５、カバー７１の音通筒体７３から音が外部へ伝搬される。【００５９】
そして、本発明に係るイヤホン装置は、上述した図７に示したように、耳珠１７、対珠１９、耳甲介２１で囲まれた耳甲介腔２３にハウジング６９やカバー７１を収納するとともに、先端のイヤーチップ７７を外耳道２５に挿入して装着使用される。【００６０】
しかも、第１および第２のスピーカ部Ａ、Ｂの第１および第２のコイル４５、６３は、図２に示すように、逆位相で同じ音声信号が各々印加されるように接続されており、第１および第２の振動膜３３、５１が僅かな間隔を置いて対面配置されるとともにその間が気密状態になっているから、第１および第２の振動膜３３、５１が同じ方向にほぼ同じ振動変位を発生させ、大きな振動音を生じさせる。【００６１】
この点、従来構成のように第１又は第２のスピーカ部Ａ、Ｂ単体では、スピーカの構造と振動膜の形状からして、入力信号が大きい場合、振動膜の動作は上（凸）方向と下（凹）方向で対称の振動とはならず、図３Ａ又はＢに示すように、一般的に振動の片側から歪が発生し出し易く、第１および第２の振動膜３３、５１の振動が対称になり難い。【００６２】
しかし、本発明では、上述したように逆向きに対向された第１および第２のスピーカ部Ａ、Ｂの第１および第２の振動膜３３、５１が同時、かつ同じ方向へ同じ振動幅で振動することにより、互いにその歪が補完され、同図Ｃの合成波形に示すように、第１および第２の振動膜３３、５１の振動が対称になり易くて歪みが少なく、波形も大きくなる。【００６３】
さらに、本発明のようなイヤホン装置は、第１および第２のスピーカ部Ａ、Ｂの第１および第２のマグネット３７、５５の対面する先端側が同極性例えばＮ極に着磁されていると、第１および第２のマグネット３７、５５（第１および第２の抑え板３９、５７）の先端どうしの磁極が反発し易い。【００６４】
そのため、図４Ａに示すように、第１又は第２のマグネット３７、５５の先端側とこれに隣接する第１又は第２のヨーク３１、４９との間に発生する磁束が、対面する第２又は第１のヨーク４９、３１のＮ極の影響を受けて広がらず、第１又は第２のヨーク３１、４９間における漏れ磁束の発生を抑えることが容易であるうえ磁束密度が上昇する。そのため、第１および第２の振動膜３３、５１の駆動損失の軽減が可能である。【００６５】
なお、図４では第１および第２のコイル４５、６３および第１および第２の振動膜３３、５１の図示は省略した。【００６６】
この点、従来構成のように第１又は第２のスピーカ部Ａ、Ｂ単体では、図４Ｂに示すように、第１又は第２のマグネット３７、５５の先端側と第１又は第２のヨーク３１、４９との間に磁束がある程度広がって形成され、漏れ磁束が発生し、損失を無視し難い。【００６７】
このように、本発明のイヤホン装置では、第１のヨーク３１、この第１のヨーク３１に支持された第１の振動膜３３、その第１のヨーク３１内に支持され印加される音声信号によってその第１の振動膜３３を駆動させる第１の駆動部３５を有する第１のスピーカ部Ａと、第２のヨーク４９、この第２のヨーク４９に支持された第２の振動膜５１、その第２のヨーク４９内に支持され印加される上記音声信号によってその第２の振動膜５１を駆動させる第２の駆動部５３を有し、第１のスピーカ部Ａと同形状の第２のスピーカ部Ｂを具備している。【００６８】
しかも、第１のスピーカ部Ａは、磁性体性材料からカップ状に形成された第１のヨーク３１内に第１のマグネット３７を固定し、それら第１のヨーク３１の開放端面と第１のマグネット３７との間で間隔を置いて第１の振動膜３３を第１のヨーク３１に固定し、その第１の振動膜３３に固定した円筒状の第１のコイル４５を第１のマグネット３７の外周に僅かな間隔を置いて挿入配置して形成している。【００６９】
また、上記第２のスピーカ部Ｂは、磁性体性材料からカップ状に形成された第２のヨーク４９内に第２のマグネット５５を固定し、それら第２のヨーク４９の開放端面と第２のマグネット５５との間で間隔を置いてその第２の振動膜５１を第２のヨーク４９に固定し、その第２の振動膜５１に固定した円筒状の第２のコイル６３を第２のマグネットの外周に僅かな間隔を置いて挿入配置している。【００７０】
さらに、それら第１および第２の振動膜３３、５１間を気密状態にして共軸的に対面するよう上記第１および第２のスピーカ部Ａ、Ｂを環状の連結部材６７で連結一体化し、それら第１の振動膜３３および第２の振動膜５１が同方向に変位振動するよう駆動される構成である。【００７１】
そのため、第１および第２のマグネット３７、５５からの磁束について、漏洩磁束を大幅に減らして磁束密度を上昇させることが可能となり、第１および第２のスピーカ部Ａ、Ｂの駆動力を倍加させることが容易である。【００７２】
また、それら第１および第２の振動膜３３、５１において、音質に悪影響があるとされる奇数次の歪を低減し、上方向および下方向でほぼ対称の振動を得ること容易で、応答性および歯切れの良い駆動音が得られ、駆動音の増大を維持しつつ駆動音の高品質化が可能である。【００７３】
ところで、本発明のイヤホン装置では、第１および第２の振動膜３３、５１間を密封構成とすることにより、外気の気圧変化に起因して第１および第２の振動膜３３、５１に変形が生じる心配があるかもしれない。【００７４】
これに対応するために、第１および第２の振動膜３３、５１には、良好な振動周波数特性に影響しない程度の小孔（図示せず。）を形成するとよいであろう。例えば、内径５００ミクロン以下の小孔、更に好ましくは内径５０ミクロン以内（５０〜５００ミクロン）であれば、高音域に若干の変化があるものの、周波数特性にあまり影響し難い。【００７５】
このように、第１および第２の振動膜３３、５１に、振動周波数特性に影響しない程度の小孔を貫通形成することにより、高音域に若干の変化をもたらす。【００７６】
そのため、気圧変化による第１および第２の振動膜３３、５１の変形防止と、高音域の周波数特性とをコントロールさせたい場合、例えば第１のスピーカ部Ａに低音を受け持たせ、第２のスピーカ部Ｂに高音を受け持たせる、という２つの目的のために、第１および第２の振動膜３３、５１の片方又は双方に、同一又は異なる内径５０〜５００ミクロン程度の小孔を設けることも可能である。【００７７】
要は、それら第１および第２の振動膜３３、５１の少なくとも一方に、周波数特性に大きな影響を与え難い小孔を形成すれば、周波数特性に大きな影響を与えない範囲で、第１および第２のスピーカ部Ａ、Ｂの周波数特性の微調整が可能である。【００７８】
このように、本発明のイヤホン装置において、第１および第２のスピーカ部Ａ、Ｂ間の気密状態は、完全又は厳格な気密状態ではなく、振動周波数特性に影響しない程度の状態であればよく、それら第１および第２の振動膜３３、５１が一体的に振動可能であれば、例えば上述した小孔や僅かな隙間を形成することが可能である。【００７９】
また、ヘッドホン用のスピーカは、口径が大きいことからコイルの巻径が大きくなるし、スピーカとしての振幅も大きいので、必然的にインピーダンスが大きくなる。【００８０】
しかし、本発明のイヤホン装置でそのようなスピーカを構成すれば、スピーカ単体では電圧に対する出力が小さくなるものの、２個の第１および第２のスピーカ部Ａ、Ｂの組合せにより、対電圧の出力が大きくなって、音質面のみならず聴感上でも有利になる。【００８１】
そして、本発明のイヤホン装置では、第１および第２のスピーカ部Ａ、Ｂを各々同形状にしたり、互いに共軸状に配置する必要はないが、同形状に形成したり共軸状に配置することにより、双方の特性が揃うことによって一層の駆動音の高品質化が可能である。【００８２】
また、本発明のイヤホン装置は、上記第１および第２のヨーク３１、４９の開放先端が僅かな間隔を置いて環状の連結部材６７によって連結され、それら第１および第２の振動膜３３、５１の間が気密され、第１のおよび第２のスピーカ部Ａ、Ｂの第１および第２のマグネット３７、５５とが互いに同極性で対面される構成では、構成の同じ共通した第１および第２のスピーカ部Ａ、Ｂに用いることが可能となり、コストを高騰させ難く、組み立ても簡素化される。【００８３】
さらに、本発明のイヤホン装置は、上記第１および第２の駆動部３５、５３が逆位相の同じ音声信号によってそれら第１および第２の振動膜３３、５１を駆動させるから、それら第１および第２のスピーカ部Ａ、Ｂの第１および第２の駆動部３５、５３への音声信号の接続具合のみにより、それら第１の振動膜および第２の振動膜３３、５１が同方向に変位振動するから、構成が簡素化される。【００８４】
また、本発明のイヤホン装置は、上記第１および第２のスピーカ部Ａ、Ｂは、第１および第２のヨーク３１、４９、第１および第２のマグネット３７、５５、第１および第２の振動膜３３、５１、第１および第２のコイル４５、６３で形成する構成に限定されず、第１および第２のヨーク３１、４９、これらに支持された第１および第２の振動膜３３、５１、その第１のヨーク３１、４９内に支持され印加される音声信号によって第１および第２の振動膜３３、５１を駆動させる第１および第２の駆動部３５、５３とを有する構成とし、第１および第２の駆動部３５、５３によって第１および第２の振動膜３５、５３を駆動させる構成であれば、本発明の目的達成が可能である。【００８５】
さらに、本発明のイヤホン装置では、カバー７１に形成する音通筒体７３を第２のスピーカ部Ｂの中心軸に対して斜め方向に突出する構成の他、第２のスピーカ部Ｂの中心軸上に沿って突出する構成も可能である（図６参照）。【００８６】
そして、上記第２のスピーカ部Ｂに設けが音通孔７５は、第１又は第２のスピーカ部Ａ、Ｂの何れに設けてもよく、第１又は第２のスピーカ部Ａ、Ｂの何れをハウジング６９側に配置してもよい。
【符号の説明】
【００８７】
１  ケース本体
１ａ  基部
１ｂ  前面カバー
３  ヨーク
５  マグネット
７  振動膜
９  コイル
１１、７５  音通孔
１３、４７、６５  ケーブル
１３ａ  結び目
１５  駆動部
１７  耳珠
１９  対珠
２１  耳甲介
２３  耳甲介腔
２５  外耳道
２７、３３、７３  音通筒体
２９、７７  イヤーチップ
３１  第１のヨーク
３３  第１の振動膜
３５  第１の駆動部
３７  第１のマグネット
３９  第１の抑え板
４１  第１の回路基板
４３  第１の支持筒
４５  第１のコイル
４９  第２のヨーク
５１  第２の振動膜
５３  第２の振動膜
５５  第２のマグネット
５７  第２の抑え板
５９  第２の回路基板
６１  第２の支持筒
６３  第２のコイル
６７  連結部材
６９  ハウジング
７１  カバー
７９  通気孔
Ａ  第１のスピーカ部
Ｂ  第２のスピーカ部
【図１】
2014061092.tif 000003
【図２】
2014061092.tif 000004
【図３】
2014061092.tif 000005
【図４】
2014061092.tif 000006
【図５】
2014061092.tif 000007
【図６】
2014061092.tif 000008
【図７】
2014061092.tif 000009
【国際調査報告】
2014061092.tif 000010
2014061092.tif 000011